(57)【特許請求の範囲】
【請求項１】
掘削溝の両側壁に相対して位置する一対の土留めパネルと、該土留めパネルの左右両端に接合された支柱と、コネクターを介して相対する前記支柱間に張設され、前記コネクターに設けられた枢支部を中心として前記掘削溝の側壁方向に回転可能なスイング式のジャッキとを有し、前記コネクターは、前記ジャッキに取り付けられたジャッキ側コネクターと、前記支柱側にスライド可能に取り付けられたパネル側コネクターと、前記ジャッキ側コネクターと前記パネル側コネクターを回転可能に接続する枢支部とで構成された土留め装置において、
前記ジャッキ側コネクターと前記枢支部との間に取り付けられ、前記ジャッキが前記掘削溝の側壁と平行になるようにスイング回転させたとき、前記ジャッキ側コネクターと前記支柱との間に位置して前記ジャッキ側コネクターの下部が前記支柱に当接するのを防止するストッパーで構成されたスイング式ジャッキの位置矯正装置。
【請求項２】
前記ジャッキ側コネクターと前記パネル側コネクターは、それぞれ左右に間隔を置いて設けられたスリーブ状の枢支部に係止ピンを通すことにより前記ジャッキを前記掘削溝の側壁に対して略垂直に保持し、左右の前記係止ピンの一方を外すことにより残りの前記係止ピンを中心にして前記ジャッキが回転し、左右の前記ストッパーの中心を結ぶ線は前記枢支部の中心を結ぶ線から離れていることを特徴とする請求項１記載のスイング式ジャッキの位置矯正装置。
【請求項３】
前記左右のストッパーは、前記ジャッキが前記溝壁側と平行になるようにスイング回転したとき、スイング前の状態における前記支柱に垂直な前記ジャッキの中心軸線と平行でかつ前記ジャッキ側枢支部の中心を通る前記ジャッキ側枢支部の中心線より、前記ジャッキの中心軸線方向に寄って位置していることを特徴とする請求項２記載のスイング式ジャッキの位置矯正装置。
【発明の詳細な説明】
【０００１】
【発明の属する分野】
本発明は、都市ガスや上下水道などの管を埋設するに際し、掘削した溝側壁の土砂の崩壊を防止するために、掘削溝の両側に沿って連続的に起立させた土留め用パネル構造に対して、溝幅方向の切梁として支柱間に設けられる伸縮自在のスイング式ジャッキの取り付け構造に関する。
【０００２】
【従来の技術】
このような土留め用パネル構造は、例えば、図１に示すように、掘削溝の両側に沿って連続的に起立させた土留めパネル１と、この土留めパネル１の両端に接合された支柱２とから構成され、スイング式のジャッキ３はその両端部が支柱２に水平回動可能に取り付けられている。
図２に示すように、ジャッキ３はコネクター４によって支柱２に垂直に連結されている。コネクター４はジャッキ３を連結したジャッキ側コネクター５と、支柱２にスライド可能に支持されたパネル側コネクター６とから構成されている。
ジャッキ側コネクター５とパネル側コネクター６は、それぞれ左右両側に設けられた枢支部９、９′、１１、１１′に通した２本の係止ピン７、７′によって連結されている。８はジャッキを水平回動させたときに、パネル側コネクター６の端部が支柱３に当たるのを防止するコネクターストッパープレートである。
パネル側コネクター６は、支柱２内にスライド可能に挿入されているため、パネル側コネクター６と支柱２と間にはクリアランスがあり、このクリアランスとジャッキ３の自重とによって、コネクター４は図示するように傾き、ジャッキ３が下方に傾いてしまう。なお、コネクター４は、左右両側の枢支部９、９′、１１、１１′に通した２本の係止ピン７、７′によって連結されているので、傾く方向は垂直であり、左右にブレることはない。
１０は、後述する本発明に係るジャッキの位置矯正装置であるストッパーであり、この段階ではジャッキ３は土留めパネル１側へスイングしていないので、機能していない。１２は、コネクターストッパープレート８を支柱２に止める係合棒である。
図３において、上段に、従来のスイング式コネクター４（５、６）を使用してジャッキ３をパネル１と平行になるように９０°回転したときをコネクター４側より見た従来の例を示す。図２に示す左右２本の係止ピン７、７′のうち、右側の係止ピン７′を引き抜き、左側の係止ピン７を回転軸としている。１本の係止ピン７だけで重いジャッキ３を支持しているため、図３の下段に示すように、ジャッキ３及び係止ピン７がパネル１と平行の状態で静止するのでなく、係止ピン７が掘削溝側に傾き、ジャッキも掘削溝側に戻って下方に傾いてしまう。
ジャッキを水平方向に回転させて、保持する構造に関する事例がある（例えば、特許文献１、特許文献２及び特許文献３参照。）。
また、本願の先願として、特願平第２００２−５５２８２号（第８及び第９頁、第５図）の事例がある。
また、ジャッキをスイングさせたときに、スイングしたジャッキの戻りをなくすための構造の事例がある（例えば、特許文献４）。
特許文献４は、別のピン孔にピンを装入してなる構造を開示しているが、本願発明とは構造が異なる。
これらの従来の技術は、例えば、特許文献４の第３頁第３欄第７〜９行の記載「・・・支持体３と基体５とを連結した際には、該支持体３と基体５とは直線状の位置関係に保持され、」に示されているように、ジャッキをスイングさせたときに、このジャッキが自重で下がりながら、少し戻ってしまうことにはふれていない。
【０００３】
【特許文献１】
特開２０００−２２６８５１号公報（第３頁、第３図）
【特許文献２】
特開２００１−２１４４４５号公報（第２頁、第３図）
【特許文献３】
実用新案登録第２５７７９４９号公報（第２頁、第１図）
【特許文献４】
特開２０００−６４２８７号公報（第４頁、第４図）
【０００４】
【発明が解決しようとする課題】
従来のコネクターを使用してスイング式ジャッキを土留めパネルと平行になるように９０°回転する。図３の上段に示すように、この時ジャッキの重量とコネクター部のクリアランスのため、コネクターとジャッキは掘削溝側に斜め下にダレて倒れこむ。これは、掘削溝幅が狭い場合は、管を降下する際にジャッキを土留めパネル側に引き寄せなくてはならず作業能率を悪くし、また、ジャッキが管に当たり障害となる上、管に傷を付ける恐れがある。最近は狭い溝幅に長いガス管等を埋設するようになってきており、一本の管を埋設する場合におけるジャッキの本数も多いので問題となっている。
このため、出来るだけジャッキが斜め下にダレて倒れこむのを少なくすることで作業能率を確保することが求められている。
【０００５】
本発明の目的は、ジャッキをスイングさせたときに、このジャッキが自重で下がりながら、少し戻ってしまうのを防止することである。
【０００６】
【課題を解決するための手段】
本発明は、上記の技術的課題を解決するものであり、その要旨とするところは以下の通りである。
【０００７】
（１）掘削溝の両側壁に相対して位置する一対の土留めパネルと、該土留めパネルの左右両端に接合された支柱と、コネクターを介して相対する前記支柱間に張設され、前記コネクターに設けられた枢支部を中心として前記掘削溝の側壁方向に回転可能なスイング式のジャッキとを有し、前記コネクターは、前記ジャッキに取り付けられたジャッキ側コネクターと、前記支柱側にスライド可能に取り付けられたパネル側コネクターと、前記ジャッキ側コネクターと前記パネル側コネクターを回転可能に接続する枢支部とで構成された土留め装置において、前記ジャッキ側コネクターと前記枢支部とに取り付けられ、前記ジャッキが前記掘削溝の側壁と平行になるようにスイング回転させたとき、前記ジャッキ側コネクターと前記支柱との間に位置して前記ジャッキ側コネクターの下部が前記支柱に当接するのを防止するストッパーで構成されたスイング式ジャッキの位置矯正装置。
【００１１】
（２）前記ジャッキ側コネクターと前記パネル側コネクターは、それぞれ左右に間隔を置いて設けられたスリーブ状の枢支部に係止ピンを通すことにより前記ジャッキを前記掘削溝の側壁に対して略垂直に保持し、左右の前記係止ピンの一方を外すことにより残りの前記係止ピンを中心にして前記ジャッキが回転し、左右の前記ストッパーの中心を結ぶ線は前記枢支部の中心を結ぶ線から離れていることを特徴とする上記（１）記載のスイング式ジャッキの位置矯正装置。
【００１２】
（３）前記左右のストッパーは、前記ジャッキが前記溝壁側と平行になるようにスイング回転したとき、スイング前の状態における前記支柱に垂直な前記ジャッキの中心軸線と平行でかつ前記ジャッキ側枢支部の中心を通る前記ジャッキ側枢支部の中心線より、前記ジャッキの中心軸線方向に寄って位置していることを特徴とする上記（２）記載のスイング式ジャッキの位置矯正装置。
【００２２】
【作用】
スイング式ジャッキをコネクターに内蔵されているコネクターピン（回転側）を軸にしてパネル側に９０°回転させる時、従来は、図３の上段に示すように、コネクターと、土留めパネルの支柱又はコネクターストッパープレートとの隙間にスイング式コネクターの下端が当たるまで、スイング式ジャッキとコネクターが倒れこんだが、図３の下段に示すように、コネクターの下端にストッパー（突起物）を付ける事で、スイング式ジャッキを回動したとき、スイング式ジャッキとコネクター並びに下端に付けたストッパーも回動し、ジャッキが土留めパネルと平行になるとき、コネクターの下端に付けたストッパーが土留めパネルの支柱又はコネクターストッパープレートに当たりこれらを支えており、隙間を形成し、隙間が無くならないので、スイング式ジャッキが管側に倒れこむのを防ぐことが出来る。
【００２３】
【発明の実施の形態】
本発明のスイング式ジャッキの位置矯正装置の一実施例を図によって説明する。
【００２４】
図２及び図３の下段に示すように、本発明に係るジャッキ３のダレ防止装置であるストッパー１０、１０′はジャッキ側コネクター５の下部両側に設けられている。
図４は、ストッパー１０、１０′の形状の例を示している。（ａ）は円柱、（ｂ）は楕円柱、（ｃ）は多角、（ｄ）は球である。ストッパー１０あるいは１０′は、ジャッキ３の回動に伴って、土留めパネル１の支柱２又はコネクターストッパープレート８等に当たる部分がこれらの形状をしていればよい。
多角形の場合には面の部分が当たれば好ましい。
本発明のストッパー１０、１０′の形状は、ジャッキ３が溝壁側と平行になるようにスイング回転したとき、支柱２又はコネクターストッパープレート８と、これに対面するジャッキ側コネクター５との間に配置されて両者の間に空隙を形成するものであればよい。
図３の上段及び下段において、点線１４はそれぞれ、ジャッキ３が溝壁側と平行になるようにスイング回転したときの枢支部１１′の軸線を示している。図３の下段では、ジャッキ側コネクター５の枢支部９とコネクターストッパープレート８の間にストッパー１０が位置するので、枢支部１１′の軸線である点線１４は溝壁側と平行になり、ジャッキ側コネクター５とコネクターストッパープレート８との間に空隙を保つことができる。
一方、図３の上段では、コネクター４が傾き、これに伴い点線１４も傾いてしまい、ジャッキ側コネクター５の下部がコネクターストッパープレート８のあたってしまい、ジャッキ側コネクター５とコネクターストッパープレート８との間の下部に空隙ができない。
【００２５】
ストッパー１０、１０′は、サイズが大きいときジャッキ３は上を向き、小さいとき下を向くので、サイズは、ジャッキ３をスイング回動して、土留めパネル１と平行になるように位置させたとき、ジャッキの先端側が垂れ下がらないように持ち上げることのできる大きさが好ましい。
【００２６】
本発明のダレ防止ストッパー１０、１０′を配置する位置は、ジャッキを安定して押し上げるために、ジャッキの上下スイングの中心レベルからなるべく下方が好ましい。
【００２７】
ジャッキ３の直径が大きい場合において、ジャッキ３よりも先にストッパー１０、１０′が支柱２又はコネクターストッパープレート８に当たるようにするためには、コネクター枢支部９、９′１１、１１′の回転軸とこれに平行なストッパー１０、１０′の軸の位置関係をずらしておくことが好ましい。即ち、図８に示すように、コネクター枢支部９と、９′の軸線を結ぶ線あるいはコネクター枢支部１１、１１′の軸線を結ぶ線が、ストッパー１０、１０′の軸線を結ぶ線と重ならないように、平行な互いに離れている位置関係にすることが好ましい。
【００２８】
ストッパー１０、１０′の材質は、例えば、鉄、鋼等の金属等ジャッキの自重に耐える強度のものであればよい。
【００２９】
図５は、従来のスイング式コネクター４のジャッキ側コネクター５の下部両側に、ストッパー１０、１０′を取り付けたものをコネクター側より見た図である。ストッパー１０、１０′は鉄製の円柱であり、ジャッキ側コネクター５の下部両側と左右の下部枢支部９、９′とに溶接されて固定されている。
ジャッキ３を係止ピン７を軸としてパネル１側に９０°水平回動したとき、軸側のストッパー１０はこれと共に回動し、ジャッキ側コネクター５の左側下部及び左の下部枢支部９と、コネクターストッパープレート８とに挟持されて押圧されている。これによって、係止ピン７は支柱２と平行に垂直に維持されている。このため、ジャッキ３は、パネル１と平行位置に静止している。
【００３０】
図６は、図２に示す、スイング式ジャッキ３を係止ピン７を軸として手前に回動したときをジャッキ側より見た図である。ストッパー１０は、ジャッキ側コネクター５の左側下部及び左側の下部枢支部９に溶接されて固定されている。ストッパー１０は、これらとコネクターストッパープレート８に挟持されている。係止ピン７は支柱２と平行に垂直に維持されている。
【００３１】
図７は、図２の状態を側面から見た図である。ジャッキ３は、パネル側コネクター６及びジャッキ側コネクター５からなるコネクター４によって支柱２に連結されている。ストッパー１０は、ジャッキ側コネクター５の左側下部及び左側のジャッキ側枢支部９にそれぞれ溶接されて固定されている。７は係止ピン、１１は左側のジャッキ側枢支部である。１３は、係合棒１２の係止ピンである。
【００３２】
図８は、図２の状態を上面から見た図である。ジャッキ３は、パネル側コネクター６及びジャッキ側コネクター５からなるコネクター４によって支柱２に連結されている。ストッパー１０、１０′は、ジャッキ側コネクター５の左右両側及び左右のジャッキ側枢支部９、９′にそれぞれ溶接されて固定されている。
【００３３】
２点鎖線は、ジャッキ３を９０°水平にパネル側に回動した状態を示しており、左側のストッパー１０は、左側の枢支部９に嵌入された左側の係止ピン７を軸としてジャッキ側コネクター５及び左側枢支部９の回動と共に回動し、これらとコネクターストッパープレート８に挟持されている。
【００３４】
図１１は、ストッパー１０、１０′がパネル側コネクター６のコネクターストッパープレート８の下部にそれぞれ溶接されて固定されている例である。  後述するように、ストッパーの位置は、図９及び図１０に示すように、支柱２に垂直なジャッキ３の中心軸線１５と平行でかつジャッキ側枢支部９の中心を通る中心線１６より、中心軸線１５方向に寄っていても良い。
【００３５】
図９及び図１０は、ストッパー１０、１０′の位置を変更した例である。
図１０に拡大して示しているように、ジャッキ３が溝壁側と平行になるようにスイング回転したとき、回転したストッパー１０が、スイング前の状態における、支柱２に垂直なジャッキ３の中心軸線１５と平行でかつジャッキ側枢支部９の中心を通るジャッキ側枢支部９の中心線１６より、ジャッキ３の中心軸線１５方向に寄っている。
【００３６】
この例では、ジャッキ３をスイングさせたときに、ストッパー１０が、ジャッキ３の中心軸線１５と平行なジャッキ側枢支部９の中心線１６を通りかつこの中心線１６よりジャッキ３の中心軸線１５方向に寄って位置する。そのため、ジャッキ３をパネル１と略平行に回動させたとき、回動中心軸となる係止ピン９側のストッパー１０はコネクターストッパープレート８に当接してするが、ストッパー１０とパネル側コネクター６間には隙間ができているので、ある一定の力を加えることによって、ジャッキ３がパネル１側にさらに寄って、パネル１と平行より、ややパネル１側に先端が傾斜した状態で納まることになる。
すなわち、ジャッキ１をスイングしたときに、ストッパー１０は、コネクターストッパープレート８にあたって、一旦停止するが、さらに力を加えると、ジャッキ３自体の調整代（ジャッキ側枢支部９とこれに嵌入している係止ピン７とのクリアランスなど）があるので、ジャッキ側枢支部９の中心軸線１６を越えて、とまることになる。
そのため、一旦このようになったジャッキは、外力を加えない限りは元に戻らないので、埋設管の敷設作業の支障にならない。
【００３７】
【発明の効果】
本発明によれば、ジャッキをパネル側に９０°水平回動したとき、ジャッキが管側に戻って倒れこむのを防ぐことが出来る。掘削幅が狭い場合でも管を降下する際にジャッキをパネル側に引き寄せる必要がないので、狭い溝幅に長いガス管等を埋設する場合にはジャッキの本数も多いので更に作業能率を向上する。また、ジャッキが管に当たる障害がなく、管に傷を付ける恐れがない。
【図面の簡単な説明】
【図１】従来の掘削溝土留め用パネル構造の切梁取り付け用コネクターの使用状態を示す概略斜視図である。
【図２】従来のスイング式ジャッキ機構に本発明の位置矯正装置を設置したものを土留めパネルの支柱に連結させた状態を示す斜視図である。
【図３】上段は、従来のスイング式ジャッキを９０°回転したときをコネクター側より見た斜視図である。下段は、図２に示すスイング式ジャッキをパネル側に９０°回転したときをコネクター側より見た斜視図である。
【図４】（ａ）〜（ｄ）は、本発明のスイング式ジャッキの位置矯正装置のストッパーの形状の例を示す。
【図５】図２のスイング式ジャッキを土留めパネル側に９０°水平回動してコネクター側から見た斜視図であり、且つ図３の下段に示す本発明例の拡大図であって、本発明のスイング式ジャッキの位置矯正装置の使用状態を示す斜視図である。
【図６】図２のスイング式ジャッキを手前に水平回動してジャッキ側から見た斜視図であって、本発明のスイング式ジャッキのダレ防止装置の使用状態を示す斜視図である。
【図７】図２のスイング式ジャッキ機構の概略左側側面説明図である。
【図８】図２のスイング式ジャッキ機構の概略平面説明図であり、２点鎖線図は、ジャッキを９０°水平にパネル側に回動した状態を示す概略平面説明図である。
【図９】図８のスイング式ジャッキ機構の一部変更を変更した概略平面説明図である。
【図１０】図９の部分拡大概略平面説明図である。
【図１１】本発明の位置矯正装置を設置したスイング式ジャッキ機構の概略平面説明図であり、２点鎖線図は、ジャッキを９０°水平にパネル側に回動した状態を示す概略平面説明図である。
【符号の説明】
１        土留めパネル
２        支柱
３        ジャッキ
４        コネクター
５        ジャッキ側コネクター
６        パネル側コネクター
７        係止ピン
７′      係止ピン
８        コネクターストッププレート
９        ジャッキ側コネクターの左枢支部
９′      ジャッキ側コネクターの右枢支部
１０      左ストッパー
１０′    右ストッパー
１１      パネル側コネクターの左枢支部
１１′    パネル側コネクターの右枢支部
１２      係合棒
１３      係止ピン
１４      平面の位置
１５      ジャッキ３の中心軸
１６      ジャッキ側枢支部の中心線
【図１】
0004372435.tif 000002
【図２】
0004372435.tif 000003
【図３】
0004372435.tif 000004
【図４】
0004372435.tif 000005
【図５】
0004372435.tif 000006
【図６】
0004372435.tif 000007
【図７】
0004372435.tif 000008
【図８】
0004372435.tif 000009
【図９】
0004372435.tif 000010
【図１０】
0004372435.tif 000011
【図１１】
0004372435.tif 000012